(57)【特許請求の範囲】
【請求項１】
操作を入力する入力装置と、
表示面の方向が複数の配置状態に変更可能な表示装置と、
前記配置状態を検知する手段と、
前記操作が、設定値に基づく時間、入力されなかったことを、アイドル状態として検出する検出手段とを有する情報処理装置であって、
前記検出手段は、前記設定値を、検知された前記配置状態が前記複数の配置状態のうちの特定の第１状態であるときには第１設定値とし、検知された前記配置状態が前記複数の配置状態のうちの特定の第２状態であるときには第２設定値とすることを特徴とする情報処理装置。
【請求項２】
前記検出手段により前記アイドル状態が検出されたとき、前記表示面に表示されている表示内容を第１メモリに退避して当該表示内容を変更し、
前記アイドル状態において前記操作が入力されたとき、前記第１メモリに退避した表示内容を復元する制御手段を有することを特徴とする請求項１に記載の情報処理装置。
【請求項３】
前記表示装置の表示を補助する光源デバイスを有し、
前記検出手段により前記アイドル状態が検出されたとき、前記光源デバイスへの電源供給を遮断し、
前記アイドル状態において前記操作が入力されたとき、前記光源デバイスへの電源供給を再開することを特徴とする請求項１に記載の情報処理装置。
【発明の詳細な説明】
【０００１】
【発明の属する技術分野】
本発明は、表示機能付き情報処理装置に関し、より詳細には、２以上の配置状態をとる、コンピュータに内蔵される表示ユニット又はコンピュータに接続される表示装置を有し、標準入力装置（キーボード／マウス）のアイドル時に処理される表示部のパワーマネージメント制御／スクリーンセーバ制御に対しても、非操作者が表示内容を参照することが可能な表示機能付き情報処理装置に関する。
【０００２】
【従来の技術】
パーソナルコンピュータに代表される表示機能付き情報処理装置において、「入力装置に対する操作が、一定時間、未操作状態が継続された場合、即ちアイドル状態への移行を検知した場合、コンピュータに内蔵／接続されている各種デバイスの電源供給を停止する」といったコンピュータシステム全体の省電力を目的とする制御が実施されている。本省電力制御は、主にモバイル使用を目的としたバッテリ駆動のシステムを対象としているが、近年、環境問題の関連からＡＣ駆動時における省電力制御モードでのシステム稼働が一般的になっている。
【０００３】
また、上記省電力制御とは全く異なる技術として、「アイドル状態への移行を検知したら、定期的に表示内容を変化させ、表示焼けを防ぐ」といったスクリーンセーバ制御が実施されている。本スクリーンセーバ制御は、一般にＣＲＴに対しての大きな効果をもたらす制御であるが、液晶表示装置（ＬＣＤ）に対しても全く無意味な制御ではなく、また、近年では不在管理的な意味合いで利用されている。例えば、“只今、会議中”といった入力された文字列でスクリーンセーバ用画面を生成する等が挙げられる。
【０００４】
図２乃至図４は本発明の実施例を説明するための図であるが、これらの図を用いて、上述した現状パワーマネージメント制御及びスクリーンセーバ制御の内部制御について簡易説明する。図２乃至図４のいずれのブロック図においても、切替検知ＳＷ１とそのＩ／Ｏを除外した構成が、従来技術による現状のパワーマネージメント制御、スクリーンセーバ制御に関する必須構成要素（ブロック構成）である。
【０００５】
図２を参照して、液晶表示ユニットのバックライトのパワーマネージメント制御を説明する。透過型液晶表示ユニットを内蔵するコンピュータシステムにおいては、構成されるシステム全体のうち比較的電源消費が大きいデバイスであるバックライトの省電力制御を実施することは、ノート型ＰＣなどのように、ＡＣ供給が受けられないモバイル環境での利用を配慮した商品において、省電力効果面で最も有効な制御であり、また、制御内容は単にバックライトへの電源を遮断／供給するだけのため、古くより実施されている省電力制御の１つである。
【０００６】
キーボード／マウス等の標準入力装置２の入力状況をアイドル検出部６で監視し、一定時間（ＰＭ稼働設定値１０）入力がなければ、すなわち、ユーザ操作がなければ、ＰＭ（Ｂ）処理部７を介してバックライト３′、正確にはバックライトへの電源供給ラインのオン・オフ制御回路をオフ制御するものである。
【０００７】
図３を参照して、液晶表示装置（ユニット）全体のパワーマネージメント制御を説明する。ここでの表示装置３は、正確には、表示コントローラを意味し、バックライトのパワーマネージメント制御と同様、一定時間、ユーザ操作がなければ、ＰＭ稼働部７′を介して、表示装置３（表示コントローラ）への電源供給ラインをオフ制御するものである。なお、バックライトのパワーマネージメントとの大きな相違点は、表示装置３内部のレジスタや表示メモリ（ＶＲＡＭ）１２に記憶されている内容を、退避用記憶域８に退避する制御を含むか否かだけで、これは、表示装置３への電源供給ラインをオフ制御することにより揮発するメモリに記憶されている内容を、電源供給が確保されている、もしくは、ハードディスクに代表される不揮発性の、別の記憶域に退避する点にある。
【０００８】
なお、実際の現状のパソコン構成においては、一般に、表示メモリ（ＶＲＡＭ）は、表示装置（表示コントローラ）への電源供給ラインをオフ制御しても揮発されず、表示コントローラの内部レジスタに記憶されている内容のみをシステムメモリ（ＲＡＭ）に退避処理しているが、便宜上、本構成をとるものとして説明している。
【０００９】
また、本制御は、液晶表示装置３のみに限定しているが、サスペンド／サスペンドディスクと呼ばれるパワーマネージメント制御内容は、液晶表示装置（ユニット）がコンピュータシステムに内蔵／接続されている全デバイスに置き換わるだけで、基本的な処理内容は同一である。
【００１０】
なお、システム全体のパワーマネージメントにおいて、退避用記憶域として揮発性メモリを利用する場合を「サスペンド」、もしくは、「サスペンドＲＡＭ」と呼び、ハードディスク等のような不揮発性メモリを利用する場合を「サスペンドディスク」と呼び、一般に区別している。
【００１１】
最後に、図４を参照してスクリーンセーバ制御を説明する。スクリーンセーバ制御の内容は、液晶表示装置（ユニット）全体のパワーマネージメント制御とほぼ同様で、一定時間、ユーザ操作がなければ、スクリーンセーバ（ＳＳ）稼働部７″を介して、その時点の表示メモリ（ＶＲＡＭ）１２′に記憶されている内容を退避用記憶域８に退避し、ＳＳ用表示データ記憶域に記憶されているスクリーンセーバ用データ１３を表示装置３に出力制御するものである。
【００１２】
なお、当然のことながら、各システムにおいて、各制御モード（省電力状態／スクリーンセーバ稼働状態）の復帰制御も存在し、再度入力装置２のユーザ操作により、復帰（Ｂ）処理部４，レジューム処理部４′，復帰（Ｓ）処理部４″を介して、各制御状態より復帰制御される。
【００１３】
以上が各制御の概要であるが、本制御において、標準アーキテクチャ形態をとるパーソナルコンピュータだからこそ配慮されている点は、ＰＭ稼働設定装置１０が利用者設定できる点である。実施例において詳述するが、定期的にイベント発生するタイマ５よりの出力を受けて、アイドル検出部６では、アイドルカウンタ１１をインクリメントし、アイドルカウンタ１１がＰＭ稼働設定値１０より大きくなった時、アイドル状態に遷移したと判断する。以後の制御は、上述した通りであるが、この設定値であるＰＭ稼働設定値１０、また、本制御（パワーマネージメント制御／スクリーンセーバ制御）を実施するか否かのそのものは、利用者側で変更／設定が可能である。これは、如何なる利用シーンにも対応できるよう、本制御の詳細条件／設定を利用者に委ねるといった設計思想に基づくものであるが、逆を言えば、利用者が、コンピュータを使用している環境や状況に応じて、その度ごとに設定内容を変更しないと、利用シーンに応じた最大の省電力効果を得られないということを意味する。
【００１４】
従来より、内蔵／接続されている表示装置（ユニット）の角度を変更できる等の機構的構造により、対面者や隣席者にも表示内容を参照させることのできる情報機器やその時の表示制御に関して、提案、開示されている。
【００１５】
特開平１−１９３８９７号公報には、ディスプレイ部を上下反転させると自動的に画像も反転させる機能を具備することを特徴とする液晶ディスプレイ付き小型ターミナルが記載されている。また、特許第２８９２１４８号公報には、ペン入力タブレット付きの表示ユニット部の回動と本体部への結合が可能な機構構造を具備することにより、ノートブック型とペンタブレット型の２形状に形状変化を可能とした情報処理装置が記載されている。さらに、実用新案登録第３０５７３７２号公報には、対面する人に見せながら操作ができるように、表示装置を１８０度回転するような構造と小型表示装置を具備した携帯用電子計算機の回転式表示装置が記載されている。
【００１６】
【発明が解決しようとする課題】
しかしながら、上述の提案及び開示されている技術を採用した情報機器は、利用者でない人に、現在の表示内容を見せるといった行為を想定したものである。ところが、そういった他人に表示内容を見せている状況下において、利用者でない人（表示内容を見ている人）は、その情報機器を操作しない、もしくは操作できないのが一般的である。
【００１７】
具体的なシーンとして、実用新案登録第３０５７３７２号「携帯用電子計算機の回転式表示装置」を実装する機器において、とある商品（例えば、車）の商談を想定してみる。お客の要望に応じた車の見積もりを算出し、その詳細を表示して、ディスプレイ部をお客様に向けたとする。お客は、その見積もりを見ながら、オプション品の購入有無について、しばらく考えていたとする。この時に、前述した表示装置のパワーマネージメント制御やスクリーンセーバ制御が働いたら、どうなるだろうか。また、商談中に、上述のごとき状態にならないように、機器利用者は、パワーマネージメント制御が稼働しないように設定するであろうか。商談専用の端末であれば、そのように設定すると考えられるが、一般的には他業務用と兼用で使用したり、場合によっては、複数人で使用することもあることから考えると、商談前にその設定を確認したり、再設定したりすることはほとんどないと考えられる。
【００１８】
本発明は、上述のごとき実情に鑑みてなされたものであり、非操作者が表示内容を確認している間に、アイドル状態検知によるパワーマネージメント制御やスクリーンセーバ制御に代表される表示内容が変化する制御が稼動しても、非操作者が表示内容を参照することが可能な表示機能付き情報処理装置を提供することをその目的とする。
【００１９】
【課題を解決するための手段】
上述した非操作者の表示内容の確認中に、アイドル状態検知によるパワーマネージメント制御やスクリーンセーバ制御に代表される表示内容が変化する制御に対する問題（非操作者が表示内容の参照ができなくなる）を解決するために、本発明の情報処理装置は、２以上の配置状態をとりうる表示装置（ユニット）の、その個々の状態を検知する手段を持ち、その一方の配置状態時には、キーボード，マウス等の標準入力装置の入力状態を監視することにより、一定時間、入力操作が行われなかったことを検出するアイドル状態検出手段により、表示装置に関するパワーマネージメント制御を行い、他方の配置状態時には、このパワーマネージメント制御を抑止することを特徴としたものである。
【００２０】
本発明の第１の技術手段は、操作を入力する入力装置と、表示面の方向が複数の配置状態に変更可能な表示装置と、前記配置状態を検知する手段と、前記操作が、設定値に基づく時間、入力されなかったことを、アイドル状態として検出する検出手段とを有する情報処理装置であって、前記検出手段は、前記設定値を、検知された前記配置状態が前記複数の配置状態のうちの特定の第１状態であるときには第１設定値とし、検知された前記配置状態が前記複数の配置状態のうちの特定の第２状態であるときには第２設定値とすることを特徴としたものである。
【００２１】
本発明の第２の技術手段は、第１の技術手段において、前記検出手段により前記アイドル状態が検出されたとき、前記表示面に表示されている表示内容を第１メモリに退避して当該表示内容を変更し、前記アイドル状態において前記操作が入力されたとき、前記第１メモリに退避した表示内容を復元する制御手段を有することを特徴としたものである。
【００２３】
本発明の第３の技術手段は、第１の技術手段において、前記表示装置の表示を補助する光源デバイスを有し、前記検出手段により前記アイドル状態が検出されたとき、前記光源デバイスへの電源供給を遮断し、前記アイドル状態において前記操作が入力されたとき、前記光源デバイスへの電源供給を再開することを特徴としたものである。
【００２６】
【発明の実施の形態】
図１は、本発明の情報処理装置の１実施形態の外観を示す図で、本発明の特徴である制御が適用される１つの商品形態（商品の外観イメージ）を示す図である。商品形態としては、図１に限定されるものではないが、少なくとも、（１）表示ユニット部が２つ以上の形態（配置状態）に変移する構成になっており、（２）（１）の表示ユニット部の配置状態が少なくとも２つの状態が区別できる、といった構成要素が必須となる。これは、本発明を実現する上での必須構成要素で、当然、上記以外に入力部から表示ユニット部への制御部等もシステム実現上で必要となる。従って、表示ユニット部と本体ユニット部が別構成となっていても構わないし、また、表示ユニット部の配置状態として、単なる首振り機構でも対応できる。この時、当然、その首振り状態を検知する手段は必要となる。
【００２７】
本実施形態においては、対面者対応ＰＣにおける表示処理方法を説明する。
図１において、表示ユニット部３の表示面は、オペレータ側又は対面者側に変化させることができ、図１（Ａ）に示すように表示面がオペレータ側になっている時（通常）は切替検知ＳＷ１が離された状態に、図１（Ｂ）に示すように表示面が対面者側になっている時（対面）は切替検知ＳＷ１が押下された状態になっている。また、キーボード等の入力装置２は、オペレータ側でのみ操作可能となっている。
【００２８】
本実施形態においては、現在のパソコン等の実装技術として実施されているアイドル検出を実施し、アイドル検出に伴って現状の表示内容に影響を与える制御を実施する制御として、（ａ）表示装置焼けの防止を目的とするスクリーンセーバ制御、（ｂ）表示デバイスの補助光源デバイス（透過型液晶表示装置におけるバックライトはもちろんのこと、反射型液晶表示装置におけるフロントライトも含み、表示を補助する目的とした光源デバイス）の電源供給量を抑止するパワーマネージメント制御、及び（ｃ）表示デバイスそのものの電源供給量を抑止するパワーマネージメント制御、の３種の制御を表示装置（表示ユニット）３の向きにより、制御／抑止することを特徴としている。
【００２９】
図２は、本発明の情報処理装置の第１の実施例における液晶表示ユニットのバックライトのパワーマネージメント制御を説明するためのブロック図である。透過型液晶表示ユニットを内蔵するコンピュータシステムにおいては、構成されるシステム全体のうち比較的電源消費が大きいデバイスであるバックライトの省電力制御を実施することは、ノート型ＰＣなどのように、ＡＣ供給が受けられないモバイル環境での利用を配慮した商品において、省電力効果面で最も有効な制御であり、また、制御内容は、単にバックライトへの電源を遮断／供給するだけのため、古くより実施されている省電力制御の１つである。この制御は、キーボード／マウス等の標準入力装置２の入力状況をアイドル検出部６で監視し、一定時間（ＰＭ稼働設定値１０）入力がなければ、すなわち、ユーザ操作がなければ、ＰＭ（Ｂ）処理部７を介してバックライト３′、正確にはバックライトへの電源供給ラインのオン・オフ制御回路をオフ制御するものである。
【００３０】
図３は、本発明の情報処理装置の第２の実施例における液晶表示装置（ユニット）全体のパワーマネージメント制御を説明するためのブロック図である。ここでの表示装置３は、正確には、表示コントローラを意味し、バックライトとのパワーマネージメント制御と同様、一定時間、ユーザ操作がなければ、パワーマネージメント（ＰＭ）稼働部７′を介して、表示装置３への電源供給ラインをオフ制御するものである。なお、バックライトのパワーマネージメントとの大きな相違点は、表示装置３内部のレジスタや表示メモリ（ＶＲＡＭ）１２に記憶されている内容を、退避用記憶域８に退避する制御を含むか否かだけで、これは、表示装置３への電源供給ラインをオフ制御することにより揮発するメモリに記憶されている内容を、電源供給が確保されている、もしくは、ハードディスクに代表される不揮発性の、別の記憶域に退避する点にある。
【００３１】
なお、実施の現状パソコンの構成では、一般に、表示メモリ（ＶＲＡＭ）は、表示装置３（表示コントローラ）への電源供給ラインをオフ制御しても揮発されず、表示コントローラの内部レジスタに記憶されている内容のみを、システムメモリ（ＲＡＭ）に退避処理しているが、便宜上、本構成をとるものとして説明している。
【００３２】
また、本制御は、液晶表示装置３（ユニット）のみに限定しているが、サスペンド／サスペンドディスクと呼ばれるパワーマネージメント制御内容は、液晶表示装置（ユニット）がコンピュータシステムに内蔵／接続されている全デバイスに置き換わるだけで、基本的な処理内容は同一である。
【００３３】
なお、システム全体のパワーマネージメントにおいて、退避用記憶域として揮発性メモリを利用する場合を「サスペンド」、もしくは、「サスペンドＲＡＭ」と呼び、ハードディスク等のような不揮発性メモリを利用する場合を「サスペンドディスク」と呼び、一般に区別している。
【００３４】
図４は、本発明の情報処理装置の第３の実施例におけるスクリーンセーバ制御を説明するためのブロック図である。本制御内容は、液晶表示装置（ユニット）全体のパワーマネージメント制御とほぼ同様で、一定時間、ユーザ操作がなければ、スクリーンセーバ（ＳＳ）稼働部７″を介して、その時点の表示メモリ（ＶＲＡＭ）に記憶されている内容を退避用記憶域８に退避し、ＳＳ用表示データ記憶域に記憶されているスクリーンセーバ用データ１３を表示装置３に出力制御するものである。
【００３５】
なお、当然のことながら、上述の各実施例における各システムにおいて、各制御モード（省電力状態／スクリーンセーバ稼働状態）の復帰制御も存在し、再度、入力装置２のユーザ操作により、復帰（Ｂ）処理部４，レジューム処理部４′，復帰（Ｓ）処理部４″を介して、各制御状態より復帰制御される。
【００３６】
以上が各制御の概要であるが、本制御において、標準アーキテクチャ形態をとるパーソナルコンピュータだからこそ、配慮されている点は、パワーマネージメント（ＰＭ）、稼働設定装置１０が利用者設定できる点である。後述のフロー図による説明で詳述するが、定期的にイベント発生するタイマ５よりの出力を受けて、アイドル検出部６では、アイドルカウンタ１１をインクリメントし、アイドルカウンタ１１がＰＭ稼働設定値１０より大きくなった時、アイドル状態に遷移したと判断する。
【００３７】
次に、図２乃至図４で説明した各実施例の制御内容について説明する。
なお、本発明のポイントは、アイドル検出部６と、復帰（Ｂ）処理部４／レジューム処理部４′／復帰（Ｓ）処理部４″となるため、個々のパワーマネージメント制御，スクリーンセーバ制御についての説明は省略し、図２で説明した実施例１、すなわち、バックライトのパワーマネージメント制御での発明の中心部分に対してのみ説明する。
【００３８】
図５は、本発明のアイドル検出部６の制御内容を説明するためのフロー図である。なお、図５におけるフローは、バックライトのパワーマネージメント制御を主としているが、ステップＳ８のＩＯ４信号（アイドル検知イベント信号）出力の出力先が変わるだけで、他のパワーマネージメント制御としても、スクリーンセーバ制御としても適応できる。
【００３９】
アイドル検出部６は、主として２つの変数／定数記憶域を持つ。その１つはＰＭ稼働設定値１０であり、本設定値はシステム固定値でも構わないが一般的にはユーザ指定／変更が可能である。もう１つはアイドルカウンタ１１であり、一定周期で出力されるタイマイベント信号（ＩＯ１信号）の入力を受けてカウントアップ（インクリメント）される変数である。
【００４０】
まず、アイドル検出部６では、切替検知ＳＷ１の状態信号ＩＯ２（通常の場合にＬＯＷ＝ＳＷ  ＯＦＦ、対面の場合にＨＩＧＨ＝ＳＷ  ＯＮに変わる切替検知スイッチ状態信号）が、ＨＩＧＨになっているかをチェックし（ステップＳ０）、対面状態（ＩＯ２＝ＨＩＧＨ）であると判断したときは、次ステップ（ステップＳ１）のタイマ５によりＩＯ１信号の出力有無チェックをスキップして、ステップＳ２へ移行する。本処理は、移行に説明する表示装置が対面状態となっている時のアイドルカウンタ１１のインクリメント処理や本アイドルカウンタ値とＰＭ稼動設定値１０との比較処理などのバックライトオフ制御をスキップするものである。
本処理後、タイマ５によりのＩＯ１信号の出力有無、切替検知スイッチ（ＳＷ）１より出力される切替検知ＳＷ１の状態信号ＩＯ２（通常の場合にＬＯＷ＝ＳＷ  ＯＦＦ、対面の場合にＨＩＧＨ＝ＳＷ  ＯＮに変わる切替検知スイッチ状態信号）が、ＨＩＧＨからＬＯＷへ若しくはＬＯＷからＨＩＧＨへ変化（遷移）したか否か、ならびに、入力装置２よりの利用者の入力装置に対する操作が発生した時に出力される入力イベント信号（ＩＯ３信号）の出力有無をチェックする（ステップＳ１〜Ｓ３）。
【００４１】
ここで、ＩＯ２信号の状態変化感知、もしくは、ＩＯ３信号の出力を受けた場合には、アイドルカウンタ１１を初期化（０クリア）する（ステップＳ４）。また、ＩＯ１信号の出力を受けた場合には、まず、その時点のアイドルカウンタ１１とＰＭ稼働設定値１０を比較し、すでに、パワーマネージメント状態（スクリーンセーバ状態）に移行しているか否かを判断し（ステップＳ５）、まだ、パワーマネージメント状態（スクリーンセーバ状態）に移行していない場合には、アイドルカウンタ１１をインクリメントし（ステップＳ６）、さらに、その更新した（インクリメントした）アイドルカウンタ１１とＰＭ稼働設定値１０を比較し（ステップＳ７）、アイドルカウンタ１１がＰＭ稼働設定値１０に到達している場合には、ＰＭ（Ｂ）処理部７へ、アイドル状態に遷移したことを示すアイドル検知イベント信号（ＩＯ４信号）を出力する（ステップＳ８）。なお、当然のことながら、ＩＯ４信号を受けて、ＰＭ（Ｂ）処理部７では、デバイス電源ＯＦＦ通知信号（ＩＯ５信号）をバックライト３′（バックライト電源供給ラインＳＷ回路）へ出力することによりオフ制御が実施される。なお、実施例２のパワーマネージメント制御の場合、ＰＭ稼動部７′ではＩＯ５信号を表示装置３へ出力することによりオフ制御がなされる。また、実施例３のスクリーンセーバ制御の場合、ＳＳ稼動部７″ではスクリーンセーバ表示データ出力信号（ＩＯ８信号）を表示装置３へ出力することによりスクリーンセーバ制御がなされる。
【００４２】
図６は、復帰（Ｂ）処理部４の制御内容を説明するためのフロー図である。なお、図６におけるフローも、バックライトのパワーマネージメント制御を主としているが、ステップＳ１４における状態を判断する対象デバイスと、ステップＳ１５のオン制御するための処理内容（バックライト３′へＩＯ６信号（デバイス電源ＯＮ通知信号）を出力）が変わるだけで、他のパワーマネージメント制御としても、スクリーンセーバ制御としても適応できる。なお、ステップＳ１４において、スクリーンセーバ制御の場合にはスクリーンセーバ状態か否かを示すフラグにて処理することになる。また、ステップＳ１５において、バックライトの場合は、単にバックライトデバイスに電源供給する制御のみで可だが、他の場合には、パワーマネージメント状態／スクリーンセーバ状態に移行した際、すなわち、図５のステップＳ８にて、退避されたデータを元に戻すといったステップが必要となる。すなわち、実施例２においては、レジューム処理部４′よりＩＯ６信号を出力し、表示装置３からＰＭ稼働部７′へコントローラメモリ表示データ等のデバイスメモリの出力信号（ＩＯ７信号）を出力してデータを元に戻す。また、実施例３においては、復帰（Ｓ）処理部４″よりスクリーンセーバ稼動前の表示データである退避データ信号（ＩＯ９信号）を出力し、表示装置３からＳＳ稼働部７″へ表示データ等のデバイスメモリの出力信号（ＩＯ７信号）を出力してデータを元に戻す。
【００４３】
まず、復帰（Ｂ）処理部４では、切替検知ＳＷ１より出力される切替検知ＳＷ１の状態信号ＩＯ２がＨＩＧＨ（押下状態）になっているか（ステップＳ１１）、入力装置２よりの利用者の入力装置に対する操作が発生した時に出力されるＩＯ３信号の出力が発生したか（ステップＳ１２）をチェックする。次に、切替検知ＳＷ１より出力される切替検知ＳＷ１より出力される切替検知ＳＷ１の状態信号ＩＯ２が変化（ＬＯＷからＨＩＧＨへの遷移は、ステップＳ１１の前チェックより、本ステップへは来ない）したか（ステップＳ１３）をチェックし、いずれのチェックにおいても、ＹＥＳなら、バックライトのＯＮ／ＯＦＦ状態をチェックし（ステップＳ１４）、バックライトＯＦＦ状態の場合には、バックライト３′へ退避データ出力も含むデバイス電源ＯＮ通知信号（Ｉ０６信号）を出力してバックライトＯＮ制御を実施する（ステップＳ１５）。
【００４４】
これら、アイドル検出部６ならびに復帰（Ｂ）処理部４の制御により、（１）切替検知ＳＷ１が押下状態の時には、バックライトのパワーマネージメント制御を抑止する、（２）切替検知ＳＷ１が押下状態へ遷移した時には、パワーマネージメント状態であったとしても、通常状態（バックライトオン状態）に移行する、ことが実現される。
【００４５】
図７は、本発明の情報処理装置の第４の実施例におけるバックライトのパワーマネージメント制御を説明するための図で、図２で説明した実施例１と同様の制御であるが、図２に示した制御では、「切替検知ＳＷ１が押下時、一切、バックライトのパワーマネージメント制御を実施しない」のに対し、図７に示した制御では、「切替検知ＳＷ１が押下されている時と押下されていない時とでアイドル検知判断までの時間（ＰＭ稼働設定値）を異ならせている」という点でのみ相違する。すなわち、同一のロジック（制御方法）を、図３，図４で説明した実施例２，３の表示装置（ユニット）のパワーマネージメント制御やスクリーンセーバ制御に適応できる。
【００４６】
図８は、図７で示されるブロック構成のアイドル検出部６の制御を説明するためのフロー図で、前述した通り、切替検知ＳＷ１が押下されている時と押下されていない時とでアイドル検知判断までの時間（ＰＭ稼働設定値）を異ならせているといった点で、異なる構成、制御となっている。なお、本フローは、バックライトのパワーマネージメント制御を主としているが、前述した図５でのアイドル検出部６の制御内容と同様に、ステップＳ３１のＩＯ４信号（アイドル検知イベント信号）出力の主力先が変わるだけで、他のパワーマネージメント制御としても、スクリーンセーバ制御としても適応できる。また、図７のブロック構成図における復帰（Ｂ）処理部４の制御内容は、前述した図６に示される制御内容がそのまま適応できる。
【００４７】
アイドル検出部６は、主として３つの変数／定数記憶域を持ち、アイドルカウンタ１１は、前述した通り実施例１でのアイドルカウンタ１１と全く同様のもの（変数域）である。さらに、本実施例においては、ＰＭ稼働設定値１（１０）、ＰＭ稼働設定値２（１４）の２つのアイドル検出用の設定値を持ち、前者は、切替検知ＳＷ１がＯＦＦ状態の時、すなわち、表示ユニット部（表示装置）の表示部がオペレータ側を向いている時の設定値で、後者は、切替検知ＳＷ１がＯＦＦ状態の時、すなわち、表示ユニット部（表示装置）の表示部が対面者側を向いている時の設定値である。
【００４８】
ここで、ＰＭ稼働設定値１（１０）はもちろんのこと、ＰＭ稼働設定値２（１４）もユーザ指定／変更を可能としても良いが、利用シーンがある程度限定されるので、システム固定値としても良い。また、このＰＭ稼働設定値２（１４）を無限大に固定とすることで、表面上（システムスペック上）、前述した実施例１（図２）の構成、制御での表面スペックと全く同一となる。
【００４９】
さらに、従来技術において例示した一般的な事象（商品の商談の例）においては、ＰＭ稼働設定値２（１４）は、ＰＭ稼働設定値１（１０）より大きな値とすべきであるが、現在の表示内容を対面者に見せるのではなく、「対面者側を向いている時、スクリーンセーバの役割をもたせつつ、広告表示する」といったシーンを考えた場合には、ＰＭ稼働設定値２（１４）を０、もしくは、非常に小さな値にすることで実現できるので、ＰＭ稼働設定値２（１４）をＰＭ稼働設定値１（１０）より大きな値にするといった条件に限定するものではない。
【００５０】
本題に戻り、図８をもとに図７で示されるアイドル検出部６の制御内容について詳述する。まず、アイドル検出部６では、タイマ５よりＩＯ１信号の出力有無、切替検知ＳＷ１より出力される切替検知ＳＷ１の状態信号ＩＯ２が変化（ＨＩＧＨからＬＯＷへ、もしくは、ＬＯＷからＨＩＧＨへ）したか否か、ならびに、入力装置２よりの利用者の入力装置に対する操作が発生した時に出力されるＩＯ３信号の出力有無をチェックする（ステップＳ２１〜Ｓ２３）。ここで、ＩＯ２信号の状態変化感知、もしくは、ＩＯ３信号の出力を受けた場合には、アイドルカウンタ１１を初期化（０クリア）する（ステップＳ２４）。
【００５１】
また、ＩＯ１信号の出力を受けた場合には、現在のＩＯ２信号状態にしたがい、その時点のアイドルカウンタ１１と比較すべきＰＭ稼働設定値（ＨＩＧＨの時はＰＭ稼働設定値２（１４）、ＬＯＷの時はＰＭ稼働設定値１（１０）を変数ＣＭＰ Valueに代入する（ステップＳ２５〜Ｓ２７）。
【００５２】
ステップＳ２８において、すでにパワーマネージメント状態（スクリーンセーバ状態）に移行しているか否かを判断し、まだ、パワーマネージメント状態（スクリーンセーバ状態）に移行していない場合には、アイドルカウンタ１１をインクリメントし（ステップＳ２９）、さらに、その更新した（インクリメントした）アイドルカウンタ１１と変数ＣＭＰ Value値を比較し（ステップＳ３０）、アイドルカウンタ１１がＰＭ稼働設定値に到達している場合には、ＰＭ（Ｂ）処理部７へ、アイドル状態に遷移したことを示す信号ＩＯ４を出力する（ステップＳ３１）。なお、当然のことながら、このＩＯ４信号を受けて、ＰＭ（Ｂ）処理部７では、バックライト３′（バックライト電源供給ラインＳＷ回路）のオフ制御が実施される。
【００５３】
なお、上記のアイドル検出部６の制御に応じた復帰（Ｂ）処理部４の制御フローは、原則、上述した制御（図６）と同等であるが、対面状態でもバックライトオフ制御が成されることから、ステップＳ１１を除外（ＩＯ２がＨＩＧＨでもバックライトのパワーマネージメント制御が成されているため）する必要があり、また、ステップＳ１３のＩＯ２遷移チェックは、ＨＩＧＨ→ＬＯＷだけでなく、ＬＯＷ→ＨＩＧＨをもチェックし、どちらか一方の遷移が確認されたら、バックライトオン制御をする（ステップＳ１４へスキップする）ように変更する必要がある。
【００５４】
上記のアイドル検出部６の制御、ならびに、前述した復帰（Ｂ）処理部４の制御により、（１）切替検知ＳＷ１が押下状態の時には、バックライトのパワーマネージメントを稼働させるまでのアイドル検知用設定値を、ＰＭ稼働設定値２を利用し、通常状態（切替検知ＳＷ１が押下されていない時、すなわち、オペレータ側に表示装置の表示部が向いている時）とのパワーマネージメント稼働までの時間を異ならせ、（２）切替検知ＳＷ１が押下状態へ遷移した時、ならびに、押下状態に遷移した時のパワーマネージメント状態を復帰させ、さらに、アイドルカウンタを初期化する、ことが実現できる。
【００５６】
【発明の効果】
請求項１，２の発明に対応する効果：現在のパソコン等で実装されているアイドル状態の検出を設定値に基づく時間を用いて実施するに際し、オペレータ側を向いている時（通常時）の設定値より非オペレータ側（対面者側）を向いている時の設定値を適度に大きな値にするなど、表示装置の形状状態（配置状態）に応じて設定値を異ならせることで、表示装置の配置状態に応じた、例えばパワーマネージメント制御や表示装置焼けの防止を目的とするスクリーンセーバ制御を行うことが可能となる。なお、上記の適度に大きな値とは、利用シーンにも異なるが、通常時は１〜２分程度であることから、その数倍程度とするのが適当値かと思われる。
【００５７】
なお、参考例として、オペレータ側を向いている時にパワーマネージメント制御状態となり、その状態で、表示装置を非オペレータ側に向けた時に、パワーマネージメント状態より復帰するような構成を採用することもできる。この参考例では、さらに、オペレータ／利用者に余分な操作を与えず、ユーザの操作負荷をできるだけ最小限にすることができる。
【００５８】
ここで、現在のパワーマネージメント技術の１つとして、ノートパソコン等の“サスペンド状態中の蓋開けによるレジューム”が存在するが、上記参考例の構成の特徴は、どちらかと言えば“非オペレータ側を向けた時の復帰”にあり、“蓋開け”（現状技術）は“オペレータ側を向けた時の復帰”に相当する。
【００６１】
請求項３の発明に対応する効果：請求項１の発明に対応する効果に加えて、表示デバイスの補助光源デバイス（透過型液晶表示装置におけるバックライトはもちろんのこと、反射型液晶表示装置におけるフロントライトも含み、表示を補助する目的とした光源デバイス）の電源供給量を抑止するパワーマネージメント制御に対応可能となる。
【図面の簡単な説明】
【図１】本発明の情報処理装置の１実施形態の外観を示す図である。
【図２】本発明の情報処理装置の第１の実施例におけるバックライトのパワーマネージメント制御を説明するためのブロック図である。
【図３】本発明の情報処理装置の第２の実施例における表示装置（ユニット）のパワーマネージメント制御を説明するためのブロック図である。
【図４】本発明の情報処理装置の第３の実施例におけるスクリーンセーバ制御を説明するためのブロック図である。
【図５】本発明の情報処理装置におけるアイドル検出部の制御内容を説明するためのフロー図である。
【図６】本発明の情報処理装置における復帰（Ｂ）処理部の制御内容を説明するためのフロー図である。
【図７】本発明の情報処理装置の第４の実施例におけるブロック構成のアイドル検出部の制御を説明するためのブロック図である。
【図８】本発明の情報処理装置におけるブロック構成のアイドル検出部の制御内容を説明するためのフロー図である。
【符号の説明】
１…切替ＳＷ、２…標準入力装置、３…表示装置、３′…バックライト、４…復帰（Ｂ）処理部、４′…レジューム処理部、５…タイマ、６…アイドル検出部、７…ＰＭ（Ｂ）処理部、７′…ＰＭ稼働部、７″…ＳＳ稼働部、８…退避用記憶域、１０…ＰＭ稼働設定値（１）、１１…アイドルカウンタ、１２…ＶＲＡＭ、１３…ＳＳ用表示データ、１４…ＰＭ稼働設定値２。
【図１】
0004651140.tif 000002
【図２】
0004651140.tif 000003
【図３】
0004651140.tif 000004
【図４】
0004651140.tif 000005
【図５】
0004651140.tif 000006
【図６】
0004651140.tif 000007
【図７】
0004651140.tif 000008
【図８】
0004651140.tif 000009